(57)【特許請求の範囲】
【請求項１】
複数のパネルによって構成された壁体において、上下方向に隣接する前記パネルの間に形成される横目地と、水平方向に隣接する前記パネルの間に形成される縦目地と、の交差部を防水するものであって、
前記パネルを構成する凹凸形状が形成されたパネル上端のうち、前記横目地と前記縦目地との交差部に面する端部となる防水部材配置部に配置されるとともに、該防水部材配置部において、上方に設置される前記パネルの下端であるパネル下端が覆設される側の面に配設される第１防水部材と、該第１防水部材に積層するように配置された第２防水部材と、により構成されるものであり、
前記第２防水部材は、前記第１防水部材よりも高い弾性を有する部材で形成され、前記第１防水部材の全体に覆設されており、
前記第２防水部材は、前記第１防水部材の前記横目地側の端部から前記横目地側へはみ出すように配置されるとともに、前記第１防水部材の前記縦目地側の端部から前記縦目地側へはみ出すように配置されていることを特徴とする防水部材。
【請求項２】
前記第２防水部材は、発泡性の合成樹脂により形成されていることを特徴とする請求項１に記載の防水部材。
【請求項３】
前記第２防水部材は、
前記パネル上端と、上方に配置される前記パネルの前記パネル下端と、に圧縮挟持された状態で、前記第１防水部材に圧着されていることを特徴とする請求項１又は請求項２に記載の防水部材。
【請求項４】
前記第２防水部材において、前記第１防水部材の前記横目地側の端部から前記横目地側へはみ出した部分は、前記パネル上端の横目地側の端部を巻き込んで配置されることを特徴とする請求項１乃至請求項３いずれか一項に記載の防水部材。
【請求項５】
前記第２防水部材は、上下方向に長尺となった目地キャップによって、前記縦目地の屋外側から被覆されていることを特徴とする請求項１乃至請求項４いずれか一項に記載の防水部材。
【請求項６】
複数のパネルによって構成され、
上下方向に隣接する前記パネルの間に形成される横目地と、水平方向に隣接する前記パネルの間に形成される縦目地と、の交差部に、請求項１乃至請求項５いずれか一項に記載の防水部材が配置されていることを特徴とする外壁。
【発明の詳細な説明】
【技術分野】
【０００１】
本発明は、外壁等に使用される、壁体の目地部分を防水する防水部材に関するものである。また、この防水部材を備えた外壁に関するものである。
【背景技術】
【０００２】
建物の外壁として使用される壁体として、様々なものが流通している。その中で、外壁パネルは、軽量かつハンドリングが容易であるため、広く使用されている。
このような外壁パネルは、縦横それぞれに複数個並列して１個の外壁を構成する。
つまり、胴縁に対し、横張りや縦張りをすることにより、水平方向及び上下方向に外壁パネルを複数個並列させて１個の壁体が構成される。
このとき、当然、上下方向の境目及び左右方向の境目が形成されることとなり、これらが、横目地部分及び縦目地部分となる。
これら目地部分は、間隙となっているため、雨水や風等が、屋外から屋内へと侵入する慮があり、このため、当該箇所での防水対策等が必要となる。
このような防水対策として、様々な技術が提案されている（例えば、特許文献１及び特許文献２参照）。
【０００３】
例えば、特許文献１の技術によれば、パネル間に形成される縦目地部分を、金属製の目地板により屋外側から被覆するとともに、当該目地板部分を更に屋外側から、金属製の化粧カバーで被覆するよう構成されている。そして、目地板と化粧カバーとの間の空隙は、シーリング材により閉塞され、表面止水構造が構築されている。
しかしながら、このように、多くの部品を使用する必要があり、作業が煩雑である。
また、目地部分は、パネルの端部同士が隣接する箇所であるため、複数段が形成されており、形状が複雑である。特に縦目地と横目地が交差する部位においては、複雑な形状の間隙を閉塞する必要あり、これに対応する技術が求められる。
このような複雑な形状においても、より高く防水を行うために特許文献２のような技術が提供されている。
特許文献２の技術によれば、目地部分の防水性を高めるために、目地部分にパッキンを配置している。
このパッキンは、複雑な段部により構成されているパネルの端部同士の接合の際に形成される空間（横目地及び縦目地の交差する空間）に整合する形状に予め成形されている。
このため、複雑な形状に形成される空間を簡易に閉塞することができるようになっている。
【先行技術文献】
【特許文献】
【０００４】
【特許文献１】特開平０７−１１３３０６号公報
【特許文献２】特開２００７−３０８９８２号公報
【発明の概要】
【発明が解決しようとする課題】
【０００５】
上記のように、特許文献２の技術では、確かに、複雑な形状の目地部分の空隙を閉塞することができる。
しかしながら、特許文献２の技術では、対応する所定の製品において、定められた作業を行うときにしか使用することができない。
通常、このような製品は、対応するパネルの部品として（例えば、キットを構成する一部品として）提供されるものであり、その適用自由度は極めて低い。
つまり、パネルの種類が変わる毎に、夫々に対応するパッキンをその都度用意する必要があり、非常に不便である。
実際、建築物に応じて、様々な種類のパネルが使用されるため、この種類毎に対応するパッキンを調達するのは、煩雑である上、高コストとなる。
また、現場において、変更や調整があった場合に、専用部品であると、対応することが困難である。
このような状況下において、縦目地と横目地との交差部分のような、複雑な間隙形状を有する目地部分であっても、高い防水性を確保するとともに、どのような複雑な間隙形状においても、簡易に防水施工することができる汎用性の高い防水部材の開発が求められていた。
【０００６】
本発明の目的は、上記各問題点を解決することにあり、簡易な構成かつ低コストで、高い防水性能を確保しながら、汎用性の高い防水部材を提供することにある。
【課題を解決するための手段】
【０００７】
上記課題は、複数のパネルによって構成された壁体において、上下方向に隣接する前記パネルの間に形成される横目地と、水平方向に隣接する前記パネルの間に形成される縦目地と、の交差部を防水するものであって、前記パネルを構成する凹凸形状が形成されたパネル上端のうち、前記横目地と前記縦目地との交差部に面する端部となる防水部材配置部に配置されるとともに、該防水部材配置部において、上方に設置される前記パネルの下端であるパネル下端が覆設される側の面に配設される第１防水部材と、該第１防水部材に積層するように配置された第２防水部材と、により構成されるものであり、前記第２防水部材は、前記第１防水部材よりも高い弾性を有する部材で形成され、前記第１防水部材の全体に覆設されており、前記第２防水部材は、前記第１防水部材の前記横目地側の端部から前記横目地側へはみ出すように配置されるとともに、前記第１防水部材の前記縦目地側の端部から前記縦目地側へはみ出すように配置されていることにより解決できる。
【発明の効果】
【０００８】
本発明に係る防水部材は、第１防水部材と、この第１防水部材よりも高い弾性を有する第２防水部材と、により構成されている。そして、この第１防水部材により下地を作り、この第１防水部材よりも高弾性の第２防水部材を積層することにより、この第２防水部材を、パネル上端に形成された凹凸形状に追従させて、効率的にパネル上端の凹凸形状を塞ぐことができる。
しかも、本発明に係る防水部材は、工場や現場におけるパネル組立時に、第１防水部材と第２防水部材を一体化する仕様であるため、簡易にサイズ等調整することができるとともに、パネル上端の凹凸形状に対する特異性はなく、どのようなパネルに対しても使用することができるという自由度を有する。
また、第２防水部材のサイズを調整する（第１防水部材よりも大きいサイズにカットする等）ことにより、より高い防水性を発揮させることができる。
このような機能は、パネルの専用部品として、メーカが提供する既成のパッキンにおいては、実現できないことである。
以上のように、本発明に係る防水部材は、簡易な構成かつ低コストで、高い防水性能を確保しながら、パネル形状特異性を有する専用品では実現し得ない高い汎用性を実現することができる。
【図面の簡単な説明】
【０００９】
【図１】本発明の一実施形態に係る耐火壁の概略説明図である。
【図２】本発明の一実施形態に係る外壁パネルの上端部を示す概略説明図である。
【図３】本発明の一実施形態に係る防水部材の分解説明図である。
【図４】本発明の一実施形態に係る防水部材の貼設方法を示す説明図である。
【図５】本発明の一実施形態に係る防水部材が貼設された状態を示す説明図である。
【図６】本発明の一実施形態に係る防水部材が配置された耐火壁を示す説明図である。
【発明を実施するための形態】
【００１０】
以下、本発明の一実施形態を図面に基づいて説明する。
なお、以下に説明する構成は本発明を限定するものではなく、本発明の趣旨の範囲内で種々改変することができるものである。
また、本実施形態においては、耐火壁を建物の外壁として使用するものとし、当該耐火壁の目地部分の説明を行うが、これに限られることはなく、本発明の趣旨に逸脱しない範囲において、どのような場所に使用されるものであってもよいし、形状等は耐火壁が適用される場所や躯体との取合い等によって適宜変更可能であるものとする。また、縦目地及び横目地の形状や本数等もまた、例に限られることはなく、適宜変更することができることは勿論のことである。
【００１１】
図１乃至図６は、本発明に係る一実施形態を示すものであり、図１は耐火壁の概略説明図、図２は外壁パネルの上端部を示す概略説明図、図３は、防水部材の分解説明図、図４は防水部材の貼設方法を示す説明図、図５は防水部材が貼設された状態を示す説明図、図６は防水部材が配置された耐火壁を示す説明図である。
なお、図１は、一部内部が露出するように図示している。
【００１２】
＜耐火壁の構成について＞
図１及び図２により、本実施形態に係る耐火壁１について説明する。
本実施形態においては、耐火壁１として、外壁を構成する壁体の例を説明する。
本実施形態に係る耐火壁１は、外壁パネル１１、下張部材１２、フレーム１３、を有して構成されている。
外壁パネル１１は、所謂金属サンドイッチパネルであり、芯材１１Ａ、表面材１１Ｂ、裏面材１１Ｃ、を有して構成されている。
芯材１１Ａは、矩形ボード状に形成された耐火部材で構成されており、その表面には、金属製の表面材１１Ｂが貼設されるとともに、裏面には金属製の裏面材１１Ｃが貼設されている。
芯材１１Ａを構成する耐火部材は、本発明の趣旨を逸脱しない範囲において、どのようなものが使用されていてもよいが、本実施形態においては、ロックウール保温板が使用されている。
また、この表面材１１Ｂ及び裏面材１１Ｃについてもまた、本発明の趣旨を逸脱しない範囲において、どのような薄板でもよいが、本実施形態では、アルミニウム鋼板が使用されている。
【００１３】
なお、本実施形態においては、図１に示すように、屋外側を耐火壁１の表面側とし、屋内側を耐火壁１の裏面側とする。
また、本実施形態において、外壁パネル１１は、表裏面に金属板を配置した金属サンドイッチパネルの構造を取る例を示したが、これに限られることはなく、少なくとも裏面材１１Ｃが配置されていればよい。
つまり、表面材１１Ｂに関しては、必須構成ではなく、金属板以外の矩形板状体が貼設されていてもよいし、シート材が貼設されたような構成であってよい。
【００１４】
更に、本実施形態においては、耐火壁１は、その外装として、複数個の外壁パネル１１が整列して構成されている。
このため、高さ方向に沿って並列した外壁パネル１１，１１間には、横目地Ｍ１が形成されるとともに、水平方向に沿って並列した外壁パネル１１，１１間には、縦目地Ｍ２が形成されることとなる。
しかしながら、これに限られることはなく、本発明の趣旨に逸脱しない範囲において、１単位の耐火壁１を構成するための外壁パネル１１の個数や形状、及び、張り方等は適宜変更できるものとする。
なお、外壁パネル１１の更に詳細な端部構成や、横目地Ｍ１と縦目地Ｍ２との交差部分（図１のＸ部分）の構成については、本明細書に記載される発明の主要構成であるため、後に詳述する。
【００１５】
本実施形態に係る下張部材１２は、耐火性能を有する不燃性の矩形板状態である。本実施形態においては、石膏ボードが使用されている。
なお、本実施形態に係る下張部材１２としての石膏ボードは、厚さが６ｍｍ以上、好適には、６．０ｍｍ〜９．０ｍｍ、更に好適には９．０ｍｍ〜１０ｍｍ程度に設定されるとよい。なお、本実施形態においては、厚さ９．５ｍｍの石膏ボードを、下張部材１２として使用した。
この下張部材１２は、裏面材１１Ｃの裏面側（屋内側であって、芯材１１Ａと接する側と反対側の面）に貼設されている。
ただし、下張部材１２としては、不燃材料であれば、どのようなものであっても好適に使用することが可能であるが、建設省告示において、国土交通大臣により定められた部材から選択されると更に好適である。例えば、繊維混入ケイ酸カルシウム板等が挙げられる。
本実施形態において、下張部材１２は、裏面材１１Ｃの裏面側（屋内側）一面に亘って貼設されているが、これに限られず、部分的な配置（特に、左右方向端部や中央部分に配設されていると好適である）であってもよい。
【００１６】
本実施形態に係るフレーム１３は、矩形に組まれた枠体であり、上方枠１３Ａ（図示せず）、下方枠１３Ｂ、左右（図２における方向）２個の縦枠１３Ｃ（図示せず）、３個の胴縁１３Ｄ、を有して構成されている。
なお、当該構成は一例であり、胴縁１３Ｄの本数、配置等は適宜変更することが可能である。
上方枠１３Ａ及び下方枠１３Ｂは、同長同形状の軽量鉄骨製の長尺部材であり、縦枠１３Ｃは、軽量鉄骨製の略コ字形状断面の長尺部材である。
【００１７】
上方枠１３Ａの両端部と、下方枠１３Ｂの両端部と、の間に縦枠１３Ｃ，１３Ｃがわたされることにより、矩形の枠状体が形成されており、左右の縦枠１３Ｃ，１３Ｃの間に、この縦枠１３Ｃと同長同形状の胴縁１３Ｄが配置されている。
この胴縁１３Ｄは、縦枠１３Ｃ，１３Ｃと平行となるように、上方枠１３Ａと下方枠１３Ｂとの間にわたされている。本実施形態においては、左右方向中央部付近に１本の胴縁１３Ｄが配置され、左右の縦枠１３Ｃ，１３Ｃに近接して、胴縁１３Ｄ，１３Ｄが一本ずつ配置されている。また、本実施形態において胴縁１３Ｄは、リップ付溝型鋼形状に形成されている。
なお、本実施形態においては、左右方向中央部付近に配置された胴縁１３Ｄが、縦目地Ｍ２に近接するよう構成されている（つまり、縦目地Ｍ２もまた、左右方向中央部付近に形成されていることとなる）。
【００１８】
このように構成された胴縁１３Ｄは、外壁パネル１１の裏面側に取付けられる。
具体的には、裏面材１１Ｃの屋内側面に貼設された下張部材１２の屋内側面に取付けられることとなる。
そして、フレーム１３を構成する胴縁１３Ｄが建物の荷重支持部材である柱Ｈ１に取付けられることとなる。
なお、本実施形態においては、縦目地Ｍ２が形成されている部分の屋内側において、柱Ｈ１と胴縁１３Ｄが連結される構成を示した。
【００１９】
＜外壁パネルの端部構成について＞
次いで、外壁パネル１１の端部構成について説明する。
本実施形態に係る外壁パネル１１の上下方向両端部は、外壁パネル１１の張り始めであるスタータ４に係合させたり、外壁パネル１１，１１を上下方向に並列させるために、特殊形状に形成されている。
図２は、外壁パネル１１の上端側の一部を示しているが、本実施形態においては、外壁パネル１１の上端部には、特殊な段形状が形成されている。
なお、外壁パネル１１の下端部は、上端部に形成された段に嵌合するような、凹凸逆形状の段差が形成されていてもよいし、外壁パネル１１，１１の上下方向の継ぎ目（これが、横目地Ｍ１となる）において、上方に位置する外壁パネル１１の上端部分の段差形状を被覆できる形状に形成されていてもよい。
本実施形態においては、図２（ｂ）の二点鎖線で示すように、直上に並列する外壁パネル１１の上端部分の段差形状を被覆できる構成とした。
【００２０】
以下、説明のため、外壁パネル１１の上端側を「パネル上端１１１」と、下端側を「パネル下端１１２」と、中央側の壁体となる部分を「パネル本体１１３」と、各々記す。
パネル上端１１１には、パネル本体１１３の表面よりも裏面側に下がった上端段差部１１１Ａが形成されている。つまり、裏面側が面一の状態で、この上端段差部１１１Ａの厚みが、パネル本体１１３の厚みよりも薄くなるような態様で段差が形成されている。
そして、この上端段差部１１１Ａは、パネル本体１１３の上端から、裏面方向に向かい垂直に垂下する上端側上下方向当接壁１１１ａと、この上端側上下方向当接壁１１１ａの裏面方向に垂下した端部から下方向に延出する上端側表裏方向対向壁１１１ｂとを有して構成されている。
そして、この上端側表裏方向対向壁１１１ｂの上下方向中央部付近には、左右方向に延びる溝部Ｖが形成されている。この溝部Ｖは、裏面側へ向かって矩形に窪む溝である。
【００２１】
パネル下端１１２には、パネル本体１１３の表面よりも表面側に下がった下端段差部１１２Ａが形成されている。つまり、表面側が面一の状態で、この下端段差部１１２Ａの厚みが、パネル本体１１３の厚みよりも薄くなるような態様で段差が形成されている。
そして、この下端段差部１１２Ａは、パネル本体１１３の下端から、表面方向に向かい垂直に垂下する下端側上下方向当接壁１１２ａと、この下端側上下方向当接壁１１２ａの表面方向に垂下した端部から上方向に延出する下端側表裏方向対向壁１１２ｂとを有して構成されている。
【００２２】
そして、上方に配置される外壁パネル１１と、下方に配置される外壁パネル１１と、の境界部分（つまり、横目地Ｍ１部分）は、図２（ｂ）に示すように連結されることとなる。
つまり、下方に配置される外壁パネル１１の上端側表裏方向対向壁１１１ｂと、上方に配置される下端側表裏方向対向壁１１２ｂと、が対向した状態で、上方に配設される外壁パネル１１の下端面が、上端側上下方向当接壁１１１ａに当接し、下方に配置される外壁パネル１１の上端面が、下端側上下方向当接壁１１２ａに当接するように配置されて連結される。
そして、これら上方に配置される外壁パネル１１を構成するパネル下端１１２と、下方に配置される外壁パネル１１を構成するパネル上端１１１と、の間には、防水部材５が配設されることとなる。
詳しく説明すると、パネル上端１１１のうち、横目地Ｍ１と縦目地Ｍ２とが交差する位置に面する角部分に防水部材５は、配置され、その後、パネル下端１１２が配置されることとなる。
なお、パネル上端１１１のうち、横目地Ｍ１と縦目地Ｍ２とが交差する位置に面する角部分が、「防水部材配置部」に相当する。
以下、この防水部材５の構成と配設方法について詳しく説明する。
【００２３】
本実施形態に係る防水部材５は、第１防水部材５１と、第２防水部材５２と、を有して構成されている。
なお、第１防水部材５１と、第２防水部材５２とは、施工時には、別個の部材として準備されているものであるが、施工後には、一体となって機能するものである。
つまり、本実施形態に係る防水部材５は、単純な二層構造部材ではない。つまり、本実施形態に係る防水部材５は、部材成形時において、二層構造物として作成されたものではなく、施工時に「１個の二層構造部材」として取り扱われるものではない。この構造により、本実施形態に係る防水部材５は、従来の技術に比して、極めて高い効果を奏するものとなる。以下、詳しく説明する。
【００２４】
本実施形態に係る第１防水部材５１は、矩形平板体である。
この第１防水部材５１は、例えば、合成樹脂（ゴムを含む）系のシート材が使用されると好適であり、本実施形態においては、ブチルゴム系樹脂フィルムが使用されている。
なお、第１防水部材５１は、パネル上端１１１に形成された段差（凹凸）形状に追随してある程度埋める必要があるため、展性、弾性、追従性を有する必要がある。
このため、展性、弾性、追従性を有するシート状の矩形平板体が望ましい。
また、図３に示すように、本実施形態においては、第１防水部材５１の上下方向の長さをｔ１、左右方向の長さをｔ２、厚さをｔ３とする。
【００２５】
また、本実施形態に係る第２防水部材５２も同じく、矩形平板体である。
しかしながら、本実施形態に係る第２防水部材５２は、発泡性の合成樹脂により形成されている。つまり、スポンジ状の材質で構成されているものである。
この第２防水部材５２は、例えば、ニトリル系ゴム、ブチル系ゴム等、を使用することができる。本実施形態においては、エチレン系ゴムであるエチレンプロピレンゴム（ＥＰＤＭ）が使用されている。
【００２６】
本実施形態に係る第２防水部材５２は、上記第１防水部材５１に積層するように配置され、上方に配置される外壁パネル１１を構成するパネル下端１１２と、下方に配置される外壁パネル１１を構成するパネル上端１１１との間の形成される複雑な形状を有する間隙を主として埋めるための部材である。
このため、この第２防水部材５２は、第１防水部材５１よりも、高い弾性を有し（換言すれば、硬度が低く）、形状に対する高い追従性が求められる。
また、防水を担うため、発泡材の中でも、独立気泡の部材であることが望ましい。このように、独立気泡の部材であると、連続気泡の部材に比して、吸水性が低く、比較的低い圧縮率にて止水が可能となる。
更に、図３に示すように、本実施形態においては、第２防水部材５２の上下方向の長さをｔ４、左右方向の長さをｔ５、厚さをｔ６とする。
【００２７】
次いで、第１防水部材５１と第２防水部材５２と、のサイズについて説明する。
本実施形態においては、第１防水部材５１に比して、第２防水部材５２の方が大きくなるように構成されている。
つまり、長さｔ４＞長さｔ１、長さｔ５＞長さｔ２、厚さｔ６＞厚さｔ３となるように構成されている。
このように構成されている理由を以下に述べる。
【００２８】
＜防水部材の取付けと機能について＞
次いで、防水部材５の取付けとそれに伴う機能について説明する。
図４に示すように、横目地Ｍ１と縦目地Ｍ２との交差部に配置されるパネル上端１１１に第１防水部材５１を貼設する。
第１防水部材５１は、上端側表裏方向対向壁１１１ｂの縦目地Ｍ２側端部に貼設される。
このように第１防水部材５１を貼設することによって、溝部Ｖにより形成されている凹凸形状をある程度補填することができる。
この貼設は、例えば、第１防水部材５１を、一方側の面に接着剤が塗布された部材で構成することにより実現するとよい。
そして、この第１防水部材５１に積層するように、第２防水部材５２が配置される。
上記のように、第１防水部材５１に比して大きいサイズに形成された第２防水部材５２は、その端部が横目地Ｍ１側及び縦目地Ｍ２側にはみ出すように積層される。
【００２９】
このように配置された防水部材５の納まりを図５に示した。
図５は、防水部材５を配置して、下方に配置される外壁パネル１１のパネル下端１１２が取付けられた状態を、図４のＹ方向からの見た図である。
なお、図５は、説明のために、凹凸形状や、第２防水部材５２の形状を多少誇張して模式的に示している。
【００３０】
図５に示すように、第２防水部材５２の横目地Ｍ１側端部は、パネル上端１１１の上端部を巻き込むように配置される。
なお、同様に、第２防水部材５２の縦目地Ｍ２側端部は、パネル上端１１１の縦目地Ｍ２側に少し突出していると好適である。
図５に示すように、上方に配置される外壁パネル１１のパネル下端１１２が配置されると、第２防水部材５２の形状追従性により、第１防水部材５１が配置された溝部Ｖは、第２防水部材５２で充填される。
【００３１】
そして、本実施形態においては、第１防水部材５１と第２防水部材５２とのサイズ関係を、上記のように、長さｔ４＞長さｔ１、長さｔ５＞長さｔ２、厚さｔ６＞厚さｔ３とした。
つまり、長さｔ４＞長さｔ１、長さｔ５＞長さｔ２となるように構成されているため、第２防水部材５２は、第１防水部材５１を完全に被覆した状態で、横目地Ｍ１及び縦目地Ｍ２へと、その端部をはみ出させることができる。
【００３２】
そして、このはみ出た部分によって、パネル上端１１１の上端部を巻き込むことができる。
このように巻き込んだ状態で、上方に設置される外壁パネル１１のパネル下端１１２が接合されるため、下方に設置される外壁パネル１１のパネル上端１１１と上方に設置される外壁パネル１１のパネル下端１１２との接合部分に形成される空隙を効率的に埋めることができる。
そして、縦目地Ｍ２側にはみ出させた端部は、後に、この縦目地Ｍ２へ配置される目地キャップ６（図１参照）との間でシールとして機能させることができる。
更に、本実施形態における第２防水部材５２は、工場又は現場で容易にカットすることができるため、適用箇所や状況に応じて、この巻き込み代のサイズを簡易に変更することができる。これは、メーカが、外壁パネル１１の専用部品として提供する既成のパッキンにおいては、実現できないことである。
【００３３】
なお、このような巻き込みに関しては、必ずしも、横目地Ｍ１側（図５参照）で行われる必要はなく、適用時の状況に応じて、縦目地Ｍ２側にも同様の構成を適用してもよいことは勿論である。
また、本実施形態においては、前述のように、防水部材５を設置し、上方に配置される外壁パネル１１のパネル下端１１２を設置すると、このパネル下端１１２からの押圧によって、第２防水部材５２が、圧縮されながらパネル上端１１１の形状に追従するようになるが、このとき、この押圧により、第１防水部材５１と第２防水部材５２が圧着して一体化する。
このように、本実施形態においては、どのような形状にも沿うように防水部材５を形成することができ（設置とともに形成がなされる）、これは、メーカが、外壁パネル１１の専用部品として提供する既成のパッキンにおいては、実現できないことである。
【００３４】
また、本実施形態において、第１防水部材５１は、合成樹脂系（合成ゴムを含む）のシート状の部材であるが、第２防水部材５２は、発泡性の合成樹脂により形成されている。
これにより、第１防水部材５１は、下地を作るとともに、パネル上端１１１に形成されている複雑な凹凸形状をある程度埋め、これに、発泡性樹脂（所謂、スポンジ状）の第２防水部材５２を積層することにより、高い形状追従性を付与し、防水性を高めたものである。
しかも、本実施形態によれば、第１防水部材５１も第２防水部材５２も、工場若しくは現場で容易にカットすることができるため、適用できる外壁パネル１１の自由度が非常に高い。
このように、本実施形態に係る防水部材５は、形状追従性が非常に高く、よって、適用される外壁パネルの自由度が非常に高い。
これは、メーカが、外壁パネル１１の専用部品として提供する既成のパッキンにおいては、実現できないことである。
【００３５】
そして、このように、防水部材５を配置した後に、上方に設置される外壁パネル１１のパネル下端１１２を覆設した状態を図６に示した。
図６において、縦目地Ｍ２に対し向かって右側の状態が、上方の外壁パネル１１のパネル下端１１２を覆設した状態であり、比較のために、縦目地Ｍ２に対して向かって左側に覆設前の状態を示した。
なお、例えば、横目地Ｍ１側に第２防水部材５２をはみ出させた状態で配置した場合であっても、当該部分は、目地キャップ６（図１参照）で被覆される位置であるため、外観上の問題はない。
【００３６】
以上のように、本実施形態においては、横目地Ｍ１と縦目地Ｍ２との交差部分を効率良く防水することができる。
上記のように、防水部材５は、第１防水部材５１と第２防水部材５２とにより構成されており、両者の共働によって防水機能を発揮する。
つまり、シール状の第１防水部材５１で下地を作り、その上方に発泡材で形成された第２防水部材５２を積層する。この第２防水部材５２は、形状追従性が高いため、パネル上端１１１の複雑な凹凸形状に対応し、空隙を効果的に埋める。
また、本実施形態に係る第１防水部材５１と第２防水部材５２とは、工場若しくは現場で簡易にサイズ調整できるため、自由度及び汎用性が高い。
このような機能は、メーカが、外壁パネル１１の専用部品として提供する既成のパッキンにおいては、実現できないことである。
また、第１防水部材５１と第２防水部材５２は、設置するときには、別個のものであるが、設置後は、押圧力により圧着して一体となる。よって、防水性が高まるとともに、付け替え等も容易である。
【００３７】
このように、本実施形態に係る防水部材５は、縦目地Ｍ２と横目地Ｍ１との交差部分に配置されるものであり、第１防水部材５１と第２防水部材５２との２種の部材により構成されている。
外壁パネル１１の上端側であるパネル上端１１１には、一般的に、下方に配置される外壁パネル１１の下端側であるパネル下端１１２と接合させるために凹凸形状が形成されている。
つまり、パネル上端１１１には複雑な凹凸形状が形成されているため、この部分を防水することが困難であった。
そのため、本実施形態においては、防水部材５を、第１防水部材５１と、この第１防水部材５１よりも高い弾性を有する第２防水部材５２と、により構成した。
つまり、これにより、第１防水部材５１により下地を作り、この第１防水部材５１よりも高弾性の第２防水部材５２を、パネル上端１１１に形成された凹凸形状に追従させることができる。換言すれば、この高弾性の第２防水部材５２により、効率的にパネル上端１１１の凹凸形状を塞ぐことができる。
しかも、この第１防水部材５１及び第２防水部材５２は、別個に準備されたものを工場や現場における組立時に一体化する仕様であるため、簡易にサイズ等調整することができる。また、第２防水部材５２の形状追従性を利用して、パネル上端１１１の凹凸形状を充填するため、パネル上端１１１の凹凸形状に対する特異性はなく、どのような外壁パネル１１に対しても使用することができるという自由度を有する。
このような機能は、パネルの専用部品として、メーカが提供する既成のパッキンにおいては、実現できないことである。
このように、本発明に係る防水部材５においては、簡易な構成かつ低コストで、高い防水性能を確保しながら、汎用性の高い防水部材を提供ことができる。
【００３８】
また、このとき、第２防水部材５２は、発泡性の合成樹脂により形成されていると好適である。
この発泡性の合成樹脂とは、換言すれば、スポンジ状の合成樹脂である。
このように、第２防水部材５２をスポンジ状とすることにより、高弾性力と、高い形状追従性を持たせることができる。よって、効率的に防水を行うことが可能となり好適である。
また、この発泡性の合成樹脂としては、防水性を勘案すると、連続気泡の樹脂よりも、独立気泡の樹脂の方が好ましい。
なお、第１防水部材５１としては、好適には、シート状の合成樹脂であるとよい。
更に、この合成樹脂という概念には、合成ゴムも含むものとする。
【００３９】
更に、第１防水部材５１は、シート状の合成樹脂により構成されるとともに、第２防水部材５２の厚さは、第１防水部材５１の厚さよりも大きくなるように形成されていると、防水性及び形状追従性において好適である。
また、このとき、第２防水部材５２は、第１防水部材５１よりも、大きな平面サイズに形成されていると、高い形状追従性を有する第２防水部材５２が大きく形成されるため、防水性において好適である。
【００４０】
また、第２防水部材５２は、パネル上端１１１と、上方に配置される外壁パネル１１のパネル下端１１２と、に圧縮挟持された状態で、第１防水部材５１に圧着されていると好適である。
このように構成されていると、第１防水部材５１と第２防水部材５２は、設置するときには、別個のものであるが、設置後は、押圧力により圧着して一体となる。よって、防水性を高めることができるとともに、付け替え等も容易である。
【００４１】
更に、第２防水部材５２は、第１防水部材５１の全体に覆設されており、第２防水部材５２は、第１防水部材５１の横目地Ｍ１側の端部から横目地Ｍ１側へはみ出すように配置されるとともに、第１防水部材５１の縦目地Ｍ２側の端部から縦目地Ｍ２側へはみ出すように配置されていると好適である。
また、このとき、第２防水部材５２において、第１防水部材５１の横目地Ｍ１側の端部から横目地Ｍ１側へはみ出した部分は、パネル上端１１１部の横目地Ｍ１側の端部を巻き込んで配置されると好適である。
【００４２】
このように、第２防水部材４２の端部を、横目地Ｍ１側及び縦目地Ｍ２側へとはみ出させた。このはみ出た箇所は、他部品との境界において高い防水性を発揮する。
特に、第１防水部材５１の横目地Ｍ１側の端部から横目地Ｍ１側へはみ出した部分は、パネル上端１１１の横目地Ｍ１側の端部を巻き込んで配置されるため、パネル下端１１２と組合わされた状態において、当該部分で高い防水性を発揮する。
【００４３】
なお、縦目地Ｍ２側にはみ出した部分は、縦目地Ｍ２を屋外側からカバーする目地キャップ６が配設された状態において、当該部分で高い防水性を発揮する。
つまり、第２防水部材５２は、上下方向に長尺に形成された目地キャップ６により、縦目地Ｍ２の屋外側から被覆されており、これにより、更に防水性が高まるとともに、意匠性においてもまた有利である。
【符号の説明】
【００４４】
１  耐火壁
１１  外壁パネル（パネル）
１１Ａ  芯材
１１Ｂ  表面材
１１Ｃ  裏面材
１１１  パネル上端
１１１Ａ  上端段差部
１１１ａ  上端側上下方向当接壁
１１１ｂ  上端側表裏方向対向壁
Ｖ  溝部
１１２  パネル下端
１１２Ａ  下端段差部
１１２ａ  下端側上下方向当接壁
１１２ｂ  下端側上下方向対向壁
１１３  パネル本体
１２  下張部材
１３  フレーム
１３Ａ  上方枠
１３Ｂ  下方枠
１３Ｃ  縦枠
１３Ｄ  胴縁
４  スタータ
５  防水部材
５１  第１防水部材
５２  第２防水部材
Ｍ１  横目地
Ｍ２  縦目地
６  目地キャップ
【図１】
0006275172.tif 000002
【図２】
0006275172.tif 000003
【図３】
0006275172.tif 000004
【図４】
0006275172.tif 000005
【図５】
0006275172.tif 000006
【図６】
0006275172.tif 000007